【手続補正書】
【提出日】令和2年9月17日(2020.9.17)
【手続補正１】
【補正対象書類名】特許請求の範囲
【補正対象項目名】全文
【補正方法】変更
【補正の内容】
【特許請求の範囲】
【請求項１】
明度およびクロマの軸を有する２Ｄ一定色相葉を定義することを可能にする３Ｄ色域マッピング色空間内で、少なくともコンテンツのソース色のクロマＣをソース色域からターゲット色域にマッピングすることを可能にするクロママッピング関数の判定の方法であって、
−前記色域マッピング色空間内で複数のキー一定色相葉を定義することであって、キー一定色相葉は、前記色域マッピング色空間を複数の角度色相セクタに区分するように、前記ソース色域を定義する原色および二次色のうちの１つの色相または／および前記ターゲット色域を定義する原色および二次色のうちの１つの色相に対応する特定のキー色相によって特徴付けられ、角度色相セクタは、２つの異なるキー一定色相葉によって色相方向で区切られている、定義することと、
−色相ｈ＊の前記キー一定色相葉ごとに、色相ｈ＊の対応するキー一定色相葉に属する明度Ｌの任意のソース色のクロマＣに適用された時に、前記クロマＣがクロマ
【数１】
2019530346.tif 000001
にマッピングされるように、色相ｈ＊の前記キー一定色相葉に属する前記ソース色のいずれかのクロマをマッピングすることを可能にするキー色相葉クロママッピング関数ｇｈ＊を定義することであって、色相ｈ＊の前記キー一定色相葉内で、
−
【数２】
2019530346.tif 000002
は、前記ソース色域との一定明度Ｌの直線の交点での色のクロマであり、
−
【数３】
2019530346.tif 000003
は、前記ターゲット色域との一定明度Ｌの前記直線の交点での色のクロマである
定義することと、
−角度色相セクタごとに、前記角度色相セクタに属する明度Ｌおよび色相ｈのソース色のクロマＣに適用された時に、前記クロマＣがクロマ
【数４】
2019530346.tif 000004
にマッピングされるように実行され、ここで、色相ｈの一定色相葉内で、
−
【数５】
2019530346.tif 000005
は、前記ソース色域との一定明度Ｌの直線の交点での色のクロマであり、
−
【数６】
2019530346.tif 000006
は、前記ターゲット色域との一定明度Ｌの前記直線の交点での色のクロマであるように、この角度色相セクタに属する前記ソース色のいずれかのクロマをマッピングすることを可能にする前記連続角度色相セクタクロママッピング関数ｇを定義することであって、前記連続角度色相セクタクロママッピング関数ｇは、前記角度色相セクタを区切る２つの色相ｈ＊のキー一定色相葉のうちの１つに属するソース色について、連続角度色相セクタクロママッピング関数が、前記ソース色が属するキー一定色相葉のキー色相葉クロママッピング関数に従って前記ソース色のクロマをマッピングすることを可能にする、定義することと、
を含む方法。
【請求項２】
キー色相葉クロママッピング関数ｇｈ＊は、区間［０，１］内で斉次的に増加し、非線形であり、前記明度Ｌとは独立であるように、前記キー一定色相葉において定義される、請求項１に記載のクロママッピング関数の判定の方法。
【請求項３】
前記相対キー色相葉クロママッピング関数ｇｈ＊は、多項式である、請求項２に記載のクロママッピング関数の判定の方法。
【請求項４】
前記角度色相セクタクロママッピング関数ｇ
は、
前記色相ｈと、前記ソース色域との一定明度Ｌの直線の交点での色の前記クロマ
【数７】
2019530346.tif 000007
に対するソース色のクロマＣの割合
【数８】
2019530346.tif 000008
とを含むその変数のいずれに関しても非線形である、請求項１〜３のいずれか１項に記載のクロママッピング関数の判定の方法。
【請求項５】
角度色相セクタクロママッピング関数ｇは、変数
【数９】
2019530346.tif 000009
と変数ｈとの両方に関して多項式である、請求項４に記載のクロママッピング関数の判定の方法。
【請求項６】
明度およびクロマの軸を有する２Ｄ一定色相葉を定義することを可能にする３Ｄ色域マッピング色空間内でソース色域からターゲット色域へ、少なくともコンテンツのソース色のクロマをターゲット色に色域マッピングする方法であって、請求項１〜５のいずれか１項に記載の判定の方法に従って判定されたクロママッピング関数に従って前記ソース色の前記クロマをマッピングすることを含む、方法。
【請求項７】
請求項７の方法の実施のために構成された少なくとも１つのプロセッサを含む、ソース色域からターゲット色域へ、コンテンツのソース色をターゲット色にマッピングする、イメージ処理デバイス。
【請求項８】
請求項７に記載のイメージ処理デバイスを組み込んだ電子デバイス。
【請求項９】
プログラムが少なくとも１つのプロセッサによって実行される時に請求項１〜５のいずれか１項に記載の方法のステップを実行するためのプログラム・コード命令を含むコンピュータ・プログラム。
【請求項１０】
プログラムが少なくとも１つのプロセッサによって実行される時に請求項６に記載のマッピング方法のステップを実行するためのプログラム・コード命令を含むコンピュータ・プログラム。
【手続補正２】
【補正対象書類名】明細書
【補正対象項目名】００９４
【補正方法】変更
【補正の内容】
【００９４】
［0098］  さらに、添付図面に示された要素であるシステム・コンポーネントおよび方法の一部が、好ましくはソフトウェアで実施されるので、システム・コンポーネントまたはプロセス機能ブロックの間の実際の接続が、本発明が実施される形に依存して異なる可能性があることを理解されたい。
（付記１）
明度およびクロマの軸を有する２Ｄ一定色相葉を定義することを可能にする３Ｄ色域マッピング色空間内で、少なくともコンテンツのソース色のクロマＣをソース色域からターゲット色域にマッピングすることを可能にするクロママッピング関数の判定の方法であって、
−前記色域マッピング色空間内で複数のキー一定色相葉を定義することであって、前記複数のキー一定色相葉のそれぞれは、前記色域マッピング色空間を複数の角度色相セクタに区分するように、前記ソース色域を定義する原色および二次色のうちの１つの色相または／および前記ターゲット色域を定義する原色および二次色のうちの１つの色相に対応する特定のキー色相によって特徴付けられ、前記複数のキー一定色相葉のそれぞれは、２つの異なるキー一定色相葉によって色相方向で区切られている、定義することと、
−前記キー一定色相葉ごとに、色相ｈ＊の対応するキー一定色相葉に属する明度Ｌの任意のソース色のクロマＣに適用された時に、このクロマＣがクロマ
【数６２】
2019530346.tif 000010
にマッピングされるように、このキー一定色相葉に属する前記ソース色のいずれかのクロマをマッピングすることを可能にするキー色相葉クロママッピング関数ｇｈ＊（）を定義することであって、前記キー一定色相葉内で、
−
【数６３】
2019530346.tif 000011
は、前記ソース色域との一定明度Ｌの直線の交点での色のクロマであり、
−
【数６４】
2019530346.tif 000012
は、前記ターゲット色域との一定明度Ｌの前記直線の交点での色のクロマである
定義することと、
−角度色相セクタごとに、前記角度色相セクタを区切る２つのキー一定色相葉のうちの１つに属する任意のソース色について、連続角度色相セクタクロママッピング関数が、前記ソース色が属するキー一定色相葉のキー色相葉クロママッピング関数に従って前記ソース色のクロマをマッピングすることを可能にするように、この角度色相セクタに属する前記ソース色のいずれかのクロマをマッピングすることを可能にする前記連続角度色相セクタクロママッピング関数ｇ（ｈ，）を定義することと
を含む方法。
（付記２）
前記角度色相セクタクロママッピング関数ｇ（ｈ，）を定義することは、前記角度色相セクタに属する明度Ｌおよび色相ｈの任意のソース色のクロマＣに適用された時に、このクロマＣがクロマ
【数６５】
2019530346.tif 000013
にマッピングされるように実行され、ここで、このソース色が属する一定色相葉内で、
−
【数６６】
2019530346.tif 000014
は、前記ソース色域との一定明度Ｌの直線の交点での色のクロマであり、
−
【数６７】
2019530346.tif 000015
は、前記ターゲット色域との一定明度Ｌの前記直線の交点での色のクロマである、付記１に記載のクロママッピング関数の判定の方法。
（付記３）
相対キー色相葉クロママッピング関数
【数６８】
2019530346.tif 000016
は、区間［０，１］内で斉次的に増加し、非線形であり、前記明度Ｌとは独立であるように、前記キー一定色相葉において定義される、付記１〜２のいずれか１つに記載のクロママッピング関数の判定の方法。
（付記４）
前記相対キー色相葉クロママッピング関数
【数６９】
2019530346.tif 000017
は、多項式である、付記３に記載のクロママッピング関数の判定の方法。
（付記５）
前記角度色相セクタクロママッピング関数
【数７０】
2019530346.tif 000018
は、その変数のいずれに関しても非線形である、付記１〜４のいずれか１つに記載のクロママッピング関数の判定の方法。
（付記６）
角度色相セクタクロママッピング関数
【数７１】
2019530346.tif 000019
は、変数
【数７２】
2019530346.tif 000020
と変数ｈとの両方に関して多項式である、付記５に記載のクロママッピング関数の判定の方法。
（付記７）
明度およびクロマの軸を有する２Ｄ一定色相葉を定義することを可能にする３Ｄ色域マッピング色空間内でソース色域からターゲット色域へ、少なくともコンテンツのソース色のクロマをターゲット色に色域マッピングする方法であって、付記１〜６のいずれか１つに記載の判定の方法に従って判定されたクロママッピング関数に従って前記ソース色の前記クロマをマッピングすることを含む、方法。
（付記８）
付記７の方法の実施のために構成された少なくとも１つのプロセッサを含む、ソース色域からターゲット色域へ、コンテンツのソース色をターゲット色にマッピングする、イメージ処理デバイス。
（付記９）
付記８に記載のイメージ処理デバイスを組み込んだ電子デバイス。
（付記１０）
プログラムが少なくとも１つのプロセッサによって実行される時に付記１〜６のいずれか１つに記載の方法のステップを実行するためのプログラム・コード命令を含むコンピュータ・プログラム製品。
（付記１１）
プログラムが少なくとも１つのプロセッサによって実行される時に付記７に記載のマッピング方法のステップを実行するためのプログラム・コード命令を含むコンピュータ・プログラム製品。